(57)【要約】      （修正有）【課題】流体の移送を調整して、装置内の液レベルを制御するためのフラットバルブにおいて、その流体による摩耗や損傷等を抑制して長寿命化を図ることができるフラットバルブの制御方法、フラットバルブの制御システムを提供する。【解決手段】本発明は、高温高圧の流体の移送を調整するためのフラットバルブの制御方法であって、フラットバルブ１３は、バルブ本体３１と、上下方向に摺動可能なプラグ３２と、流体の流路を形成するシート３３とを備え、そのシート３３により形成される流路の開口部３３ｐをプラグ３２の上下方向への摺動に基づいて開閉することによって流体の流量を調整し、プラグ３２をシートの開口部３３ｐから離間させて開操作を行う初期において、その開口部３３ｐにおける開度の増大速度を減少させる。【選択図】図３
2018162853.tif 000002
【特許請求の範囲】
【請求項１】
高温高圧の流体の移送を調整するためのフラットバルブの制御方法であって、
前記フラットバルブは、バルブ本体と、上下方向に摺動可能なプラグと、流体の流路を形成するシートとを備え、該シートにより形成される流路の開口部を該プラグの上下方向への摺動に基づいて開閉することによって流体の流量を調整し、
前記プラグを前記シートの開口部から離間させて開操作を行う初期において、該開口部における開度の増大速度を相対的に減少させる
フラットバルブの制御方法。
【請求項２】
前記プラグは、前記流路の開口部と接触する先端部が平坦なプラグ本体と、プラグステムとにより構成され、該プラグ本体の先端部を該開口部に当接又は離間させることにより、該開口部における開閉操作を行う
請求項１に記載のフラットバルブの制御方法。
【請求項３】
前記プラグ本体を前記開口部から離間させて開操作を行う初期において、前記プラグの上方向への摺動速度を所定の割合で減少させることによって、該開口部における開度の増大速度を相対的に減少させる
請求項２に記載のフラットバルブの制御方法。
【請求項４】
前記フラットバルブは、ニッケル酸化鉱石の湿式製錬プロセスにおいて、該ニッケル酸化鉱石を高温高圧下で硫酸により浸出処理して得られる浸出スラリーの移送を調整するために用いられる
請求項１乃至３のいずれか１項に記載のフラットバルブの制御方法。
【請求項５】
バルブ本体と、
先端部が平坦なプラグ本体と、プラグステムとにより構成され、上下方向に摺動するプラグと、
開口部を有する流路を形成するシートと、を有し、
前記プラグ本体の先端を前記開口部に対して当接又は離間させることにより、流入した高温高圧の流体の前記流路を介した移送を調整するフラットバルブの制御システムであって、
前記プラグの摺動速度を調整して前記開口部の開度を制御する開度制御部を備え、
前記開度制御部は、前記プラグ本体を前記開口部から離間させて開操作を行う初期において、前記開口部における開度の増大速度を相対的に減少させる
フラットバルブの制御システム。
【請求項６】
前記開度制御部は、前記プラグの上方向への摺動速度を所定の割合で減少させることによって、前記開口部における開度の増大速度を減少させる
請求項５に記載のフラットバルブの制御システム。
【発明の詳細な説明】
【技術分野】
【０００１】
本発明は、高温高圧の流体の移送を調整するためのフラットバルブの制御方法、フラットバルブの制御システムに関するものである。
【背景技術】
【０００２】
近年、高温高圧下において有効な耐食性を有する材料が開発されたことに伴い、ニッケル酸化鉱石の湿式製錬方法として、硫酸を用いた高温加圧酸浸出（ＨＰＡＬ：Ｈｉｇｈ  Ｐｒｅｓｓｕｒｅ  Ａｃｉｄ  Ｌｅａｃｈ）法が注目されている（特許文献１参照）。
【０００３】
ＨＰＡＬ法によるニッケル酸化鉱石の湿式製錬方法は、例えば、ニッケル酸化鉱石をスラリー化し、鉱石スラリーを調製する工程（鉱石スラリー調製工程）と、鉱石スラリーに硫酸を添加し、加圧浸出反応器（以下、「オートクレーブ」という）を用いた２２０℃〜２８０℃の高温高圧下でニッケル及びコバルトを浸出して、浸出スラリーを得る工程（浸出工程）と、浸出スラリー中の浸出残渣とニッケル及びコバルトを含む浸出液とを固液分離する工程（固液分離工程）と、ニッケル及びコバルトと共に不純物元素を含む浸出液を中和して鉄等の不純物元素を分離する工程（中和工程）と、中和分離後の浸出液に硫化水素ガスを供給してニッケルコバルト混合硫化物を回収する工程（硫化工程）とを含む。
【０００４】
このような湿式製錬方法では、浸出処理を行う浸出工程において、オートクレーブ内の浸出液の酸化還元電位及び温度を制御することによって、主要不純物である鉄をヘマタイト（Ｆｅ２Ｏ３）の形態として浸出残渣に固定する一方で、その鉄に対してニッケル及びコバルトを選択的に浸出することができ、非常に大きなメリットがある。オートクレーブにおける浸出処理の条件としては、鉱石スラリーの条件によっても異なるが、温度条件は概ね２３０℃〜２７０℃程度であり、圧力条件は３ＭＰａ〜５ＭＰａ程度で操業される。
【０００５】
さて、高圧酸浸出法を用いた低ニッケル品位の酸化鉱石に対する湿式製錬では、スラリー化された鉱石（鉱石スラリー）からニッケルとコバルトとを選択的に浸出するために、その鉱石スラリーを段階的に昇温昇圧してオートクレーブへ移送している。
【０００６】
そして、そのオートクレーブにて浸出処理が施された後、処理後に得られた浸出スラリーは段階的に降温降圧されて次工程へと移送される。
【０００７】
具体的に、浸出スラリーを降温降圧する処理では、例えば図１に示す降温降圧の処理システム１０にあるように、オートクレーブの吐出配管１１から内圧により押し上げられる浸出スラリーを、直列に設置した３つの圧力容器（以下、「フラッシュベッセル」という）１２（１２ａ，１２ｂ，１２ｃ）において段階的に降温降圧する。このような降温降圧の処理では、フラッシュベッセル１２を通過した鉱石スラリーが、最終的に１００℃以下の温度にまで降温され、圧力としては大気圧まで降圧される。
【０００８】
フラッシュベッセル１２により段階的に浸出スラリーを降圧させるにあたっては、各フラッシュベッセル１２の上部に設置した調節弁（調節バルブ）１３（１３ａ，１３ｂ，１３ｃ）により、例えば、前段に設置されているオートクレーブの液位とフラッシュベッセル１２ａの液位とを一定に制御して、連続的に浸出スラリーの抜き取りを行う。また、前段のフラッシュベッセル１２ａと後段のフラッシュベッセル１２ｂとの液位、前段のフラッシュベッセル１２ｂと後段のフラッシュベッセル１２ｃとの液位を一定に制御して、連続的に浸出スラリーの移送を行う。
【０００９】
ここで、浸出スラリーは、ニッケルのほかに硬度の高い粒子を多く含んでおり、また、フラッシュベッセル１２間の圧力差により高温かつ高速で移送されることから、容器や配管、弁等に対して摩耗性を有する。また、浸出スラリーは、オートクレーブにて添加される硫酸により酸性となることから、高い腐食性も有する。
【００１０】
そのため、フラッシュベッセル１２の上部に設けられる調節弁１３としては、浸出スラリーや、腐食性流体、高温高圧流体等の使用に適したフラットバルブが用いられている。また、その調節弁１３の構造上、摩耗の進行が速いプラグ本体やシート部品の材質には、耐摩耗性に優れるセラミック材料が一般的に使用されている。その一方で、弁本体（ボディ）や、プラグの軸を構成するプラグステム、そのプラグステムの上下摺動を案内保持するボンネットといった、セラミック材料の使用が難しい接液部には、耐腐食性に優れるチタン材料が使用されている。なお、以下では、調節弁について「フラットバルブ１３」として説明する。
【００１１】
さて、フラッシュベッセルを用いて浸出スラリーを降温降圧する処理においては、通常、オートクレーブに直接取り付けられたセンサーによってそのオートクレーブ内の液位（液レベル）測定を行っている。
【００１２】
図２は、オートクレーブ内の液レベル制御の概要を示す模式図である。オートクレーブ内の液レベルの制御は、オートクレーブ２０へ送液されるスラリーの流量、供給される硫酸の流量、オートクレーブ２０の後段に設置されているフラッシュベッセル１２ａに送液される浸出スラリーの流量のバランスを保つために必要となる。具体的に、オートクレーブ２０内の液レベルの制御は、オートクレーブ２０の後方に設置されている液レベル計２１により、オートクレーブ２０内の浸出スラリーの液レベルを検出し、その液レベルが一定になるようにフラッシュベッセル１２ａの上部に設けられるフラットバルブ１３ａのバルブ開度を調整している。
【００１３】
例えば、液レベル計２１として上限及び下限の液面センサーによってオートクレーブ２０内の液レベルを測定する場合、液レベルが上昇して、上限に設置された液面センサーがその液レベルを検知すると、フラッシュベッセル１２ａに設けられたフラットバルブ１３ａが開放されてオートクレーブ２０内に滞留した浸出スラリーが排出される。また、オートクレーブ２０内の液レベルが低下して、下限に設置された液面センサーがその液レベルを検知できなくなると、フラッシュベッセル１２ａに設けられたフラットバルブ１３ａが閉鎖されてオートクレーブ２０内からの浸出スラリーの排出が停止される。このような液面センサーによる液レベル制御によって、オートクレーブ２０内の浸出スラリーの液レベルは、上限の位置と下限の位置の間に制御されることになる。
【００１４】
また、連続的に液レベルを測定する場合、その液レベルが管理レベルよりも高くなると、フラッシュベッセル１２ａに設けられたフラットバルブ１３ａのバルブ開度を大きくすることによりオートクレーブ２０内に滞留した浸出スラリーの排出量を増加させる。また、液レベルが管理レベルよりも低くなると、フラッシュベッセル１２ａに設けられたフラットバルブ１３ａのバルブ開度を小さくすることによりオートクレーブ２０内からの浸出スラリーの排出量を抑制する。
【００１５】
しかしながら、フラッシュベッセル１２に設けられたフラットバルブ１３の内部には、高温でかつ高速に流れる浸出スラリーによって、使用を継続すれば必然的に摩耗が進行し、その摩耗が原因となって弁本体を貫通して浸出スラリーが噴出するという事態も生じ得る可能性がある。このような摩耗の進行は、操業状態により大きく変化するため、そのフラットバルブ１３を定期的に取り外し、弁内部の状態点検や摩耗状態に応じた補修、部品交換が必要とされる。
【００１６】
具体的に、フラットバルブ１３にける弁内部の摩耗は、例えばフラットバルブである場合には、浸出スラリーの流れが乱れるプラグ本体の周辺やプラグステムの周辺において局部的に進行し、従来、ボンネットのプラグ挿入部の摩耗やプラグステムの根元部の摩耗によってプラグやボンネットの交換が頻繁に行われている。また、これら部位の摩耗の進行によっては、軸シール部の不良による外部への浸出スラリーの漏れが発生する可能性もある。そして、このような弁の部品交換にあたっては、設備立ち下げ時の降温降圧や設備立ち上げ時の昇温昇圧の操作のために、長時間の設備停止が必要となる。そのため、弁内部の摩耗を抑制して、点検周期と部品交換頻度を低減させることが望まれている。
【００１７】
一般的には、フラットバルブの内部の耐摩耗性を高めるために、グラスライニングやセラミック溶射による保護被膜を形成することが行われている。例えば、特許文献２には、弁内部にグラスライニングを施し、耐食性や耐摩耗性を向上させたスラリー用アングル弁が開示されている。ところが、弁内部におけるグラスライニングは、温度変化により破損するおそれがあることのほか、配管内に付着したスケール物やタンクの内壁にライニングされた煉瓦の破片等がスラリーと共に弁内部に流入して内壁に衝突し、その衝突によってグラスライニングは安易に破損し、十分な耐摩耗性を発揮し得ない可能性がある。
【００１８】
また、特許文献３には、セラミックを溶射して保護皮膜を被着したスラリー用調節弁において、保護皮膜の被着端部を露出しない構造とすることで剥離を防止するスラリー調節弁が開示されている。ところが、この方法を可能とした場合においても、グラスライニング同様に、スケール物や煉瓦の衝突によって、セラミック保護皮膜は安易に破損する。
【００１９】
このように、従来の技術では、摩耗性を有するスラリーによる弁内部の摩耗を十分に抑制することができない。実際に、高温高圧のスラリー液のレベルを制御するためのフラットバルブの寿命としては、現状、連続運転で３ヶ月程度となっている。フラットバルブを運転中に交換する場合は、フラッシュベッセルの温度と圧力を下げる等の操作が必要となるため、非常に操業上のロスが大きい。この点からも、使用するフラットバルブを長寿命化させる方法が望まれている。また、高温高圧で、しかも酸性のスラリー液の流量に耐えることのできるバルブ材質は限られており、現在はセラミックのプラグを使用しているが非常に高価であるため、フラットバルブ自体も長寿命化することが望ましい。
【００２０】
なお、例えば上述した湿式製錬方法の浸出工程にて使用するオートクレーブのレベル制御のためのフラットバルブは、その寿命次第によって、製造効率やコスト、連続運転での工程の能力に大きく影響を与える。
【先行技術文献】
【特許文献】
【００２１】
【特許文献１】特開２０１０−０５９４８９号公報
【特許文献２】特開平５−１１８４４８号公報
【特許文献３】特開平６−１５９５２８号公報
【発明の概要】
【発明が解決しようとする課題】
【００２２】
本発明は、このような実情に鑑みて提案されたものであり、例えば高温高圧の流体の移送を調整して、装置内の液レベルを制御するためのフラットバルブにおいて、その流体による摩耗や損傷等を抑制して長寿命化を図ることができるフラットバルブの制御方法、フラットバルブの制御システムを提供することを目的とする。
【課題を解決するための手段】
【００２３】
本発明者は、上述した課題を解決するために鋭意検討を重ねた。その結果、フラットバルブへの流体の流量が急激に増大するバルブ開口の初期において、その開度の増大速度を相対的に減少させるように調整することで、流体によるフラットバルブの摩耗や損傷等を有効に抑制できることを見出し、本発明を完成するに至った。
【００２４】
（１）本発明の第１の発明は、高温高圧の流体の移送を調整するためのフラットバルブの制御方法であって、前記フラットバルブは、バルブ本体と、上下方向に摺動可能なプラグと、流体の流路を形成するシートとを備え、該シートにより形成される流路の開口部を該プラグの上下方向への摺動に基づいて開閉することによって流体の流量を調整し、前記プラグを前記シートの開口部から離間させて開操作を行う初期において、該開口部における開度の増大速度を相対的に減少させる、フラットバルブの制御方法である。
【００２５】
（２）本発明の第２の発明は、第１の発明において、前記プラグは、前記流路の開口部と接触する先端部が平坦なプラグ本体と、プラグステムとにより構成され、該プラグ本体の先端部を該開口部に当接又は離間させることにより、該開口部における開閉操作を行う、フラットバルブの制御方法である。
【００２６】
（３）本発明の第３の発明は、第２の発明において、前記プラグ本体を前記開口部から離間させて開操作を行う初期において、前記プラグの上方向への摺動速度を所定の割合で減少させることによって、該開口部における開度の増大速度を相対的に減少させる、フラットバルブの制御方法である。
【００２７】
（４）本発明の第４の発明は、第１乃至第３のいずれかの発明において、前記フラットバルブは、ニッケル酸化鉱石の湿式製錬プロセスにおいて、該ニッケル酸化鉱石を高温高圧下で硫酸により浸出処理して得られる浸出スラリーの移送を調整するために用いられる、フラットバルブの制御方法である。
【００２８】
（５）本発明の第５の発明は、バルブ本体と、先端部が平坦なプラグ本体と、プラグステムとにより構成され、上下方向に摺動するプラグと、開口部を有する流路を形成するシートと、を有し、前記プラグ本体の先端を前記開口部に対して当接又は離間させることにより、流入した高温高圧の流体の前記流路を介した移送を調整するフラットバルブの制御システムであって、前記プラグの摺動速度を調整して前記開口部の開度を制御する開度制御部を備え、前記開度制御部は、前記プラグ本体を前記開口部から離間させて開操作を行う初期において、前記開口部における開度の増大速度を相対的に減少させる、フラットバルブの制御システムである。
【００２９】
（６）本発明の第６の発明は、第５の発明において、前記開度制御部は、前記プラグの上方向への摺動速度を所定の割合で減少させることによって、前記開口部における開度の増大速度を相対的に減少させる、フラットバルブの制御システムである。
【発明の効果】
【００３０】
本発明によれば、高温のスラリー等の流体の送液を制御するフラットバルブにおいて、その流体による摩耗や損傷等を抑制して長寿命化を図ることができる。
【図面の簡単な説明】
【００３１】
【図１】降温降圧の処理システムを模式的に示す図である。
【図２】オートクレーブ内の液レベル制御の概要を示す模式図である。
【図３】フラットバルブの構成の一例を示す断面図である。
【図４】フラットバルブにおけるプラグ（プラグ本体）の形状と、そのプラグに対するスラリーの流れを説明するための図である。
【図５】フラットバルブの開口部における開度（％）と、スラリーの流量（ｍ３／ｈｒ）との関係を表したグラフ図である。
【図６】フラットバルブの従来の制御方法における制御信号の流れを示す図である。
【図７】フラットバルブの制御システムの構成の一例を示す図である。
【図８】信号変換器への入力信号と信号変換器からの出力信号との関係を示すグラフ図であり、バルブ開度０％〜１００％に応じた信号変換器への入力に対して、フラットバルブへの出力係数を変更し、そのバルブ開度とスラリー流量との関係が直線に近づくように制御曲線を変更したものである。
【図９】信号変換器への入力信号と信号変換器からの出力信号との関係を示すグラフ図であり、バルブ開度０％〜１００％に応じた信号変換器への入力に対して、フラットバルブへの出力係数を変更し、そのバルブ開度とスラリー流量との関係が直線に近づくように制御曲線を変更したものである。
【発明を実施するための形態】
【００３２】
以下、本発明の具体的な実施形態（以下、「本実施の形態」という）について詳細に説明する。なお、本発明は以下の実施形態に限定されるものではなく、本発明の要旨を変更しない範囲で種々の変更が可能である。
【００３３】
≪１．概要≫
本実施の形態に係るフラットバルブの制御方法は、オートクレーブからの高温高圧の流体の移送を調整するために用いるフラットバルブの制御方法である。具体的に、このフラットバルブの制御方法は、フラットバルブへの流体の流量が急激に増大する、開操作の初期において、そのフラットバルブの開口部における開度の増大速度を相対的に減少させる。具体的には、開口部における開操作を徐々に行うようにすることで、開口部の開き始めの時間を従来よりも長くとることを特徴としている。
【００３４】
このような方法によれば、開操作の初期における高温の流体の急激な流量変化を抑えることができ、フラットバルブに与える温度変化の影響を少なくすることができる。このことにより、セラミックの急激な流量による摩耗と温度変化の熱応力による劣化を低減することができ、長寿命化を図ることができる。
【００３５】
フラットバルブは、図１、図２を参照しながら説明したように、例えば、ＨＰＡＬ法によるニッケル酸化鉱石の湿式試練プロセスにおける浸出処理にて用いられるフラッシュベッセルに設けられ、浸出スラリーの移送を調整する調節弁（バルブ）に適用することができる。なお、フラットバルブとしては、ニッケル酸化鉱石の湿式製錬プロセスにて使用する設備に適用されることに限られない。
【００３６】
また、フラットバルブにより移送調整される対象の流体についても、上述したように、ＨＰＡＬプロセスに用いられるスラリーであって、高温高圧下で硫酸により浸出処理を施して得られた高温状態である酸性のスラリー（浸出スラリー）を挙げることができる。本実施の形態におけるフラットバルブは、例えば、腐食性の流体、上述した浸出スラリー以外の高温高圧の流体等の移送を制御するための調節弁として有効に適用することができ、ここではこれらの流体も「スラリー」という用語の意味に含まれるものとする。
【００３７】
なお、以下では、ＨＰＡＬプロセスに用いられる設備（図１、図２参照）に適用されるフラットバルブ１３を具体例に挙げ、高温高圧であって酸性の浸出スラリー（以下、単に「スラリー」ともいう）の移送を調整する場合におけるフラットバルブの制御について詳細に説明する。
【００３８】
≪２．フラッシュベッセルに適用したフラットバルブ≫
図１、図２に示したように、フラッシュベッセル１２（１２ａ）は、オートクレーブ２０内にて高温高圧の条件下でニッケル等の金属を酸浸出することによって得られた浸出スラリーを、降温降圧させるためのものである。このフラッシュベッセル１２ａには、前段のオートクレーブ２０内の浸出スラリーの液レベルを考慮しながら、所定量の浸出スラリーがオートクレーブ２０から移送される。
【００３９】
このとき、フラッシュベッセル１２ａの上部に設けられるフラットバルブ１３ａが、オートクレーブ２０からの浸出スラリーの移送量（流量）を調整して移送を制御する。
【００４０】
フラッシュベッセル１２は、複数基設けることができ、例えば３基のフラッシュベッセル１２ａ，１２ｂ，１２ｃにより、段階的にスラリーの降温降圧の処理が行われる。そして、フラッシュベッセル１２間の浸出スラリーの移送においては、上述したのと同様に、前段のフラッシュベッセル１２の液レベルを監視しながら、所定量のスラリーを後段のフラッシュベッセル１２に移送させる。なお、フラッシュベッセル１２間においては、その圧力差により、浸出スラリーが高速に流れていく。
【００４１】
図３は、フラッシュベッセル１２の上部に設けられるフラットバルブ１３の構成の一例を示す断面図である。図３に示すように、フラットバルブ１３は、バルブ本体３１と、上下に摺動可能なプラグ３２と、スラリー（流体）の流路を形成するシート３３と、を備えている。フラットバルブ１３は、その形状からレットダウンバルブとも称され、横方向（水平方向）から流入してきたスラリーを、下方向（鉛直方向）に落下させて流出させるように制御する。
【００４２】
［バルブ本体］
バルブ本体３１は、フラットバルブ１３の本体を構成するものであり、その内部をスラリーが流れる。バルブ本体３１には、水平方向に開口した流体流入口３４と、鉛直方向に開口した流体流出口３５とが設けられ、それぞれ配管に接続されている。
【００４３】
例えば図２に示すように、オートクレーブ２０と、フラットバルブ１３ａを設けたフラッシュベッセル１２ａとが接続されている構成においては、オートクレーブ２０から移送されるスラリーが、配管を介して流体流入口３４から流入し、バルブ本体３１の内部を高速に流れて当該フラットバルブ１３ａでの流量制御を経て、流体流出口３５から排出され、配管を介して後段のフラッシュベッセル１２ｂへ移送される。
【００４４】
［プラグ］
プラグ３２は、バルブ本体３１の内部において上下方向（図３中の矢印Ｘ方向）に摺動することによって、バルブ本体３１を通って流れるスラリーの流出を制御する。また、プラグ３２は、後述するシート３３により形成される流路の開口部３３ｐに当接、あるいは離間することによりその開口部３３ｐの開度を変化させ、開口部３３ｐを通って流出されるスラリーの流量を制御する。
【００４５】
具体的に、プラグ３２は、プラグ本体３２ａと、軸を構成する棒状のプラグステム３２ｂとから構成される。
【００４６】
プラグ本体３２ａは、シート３３により形成されるスラリーの流路の開口部３３ｐに接触することによって、その開口部３３ｐを塞ぐようにし、これによりスラリーの流出を止める。プラグ本体３２ａは、例えばセラミック等の材料から構成され、あるいは、金属材料の表面にセラミック等からなる被覆が施されて、その耐摩耗性が高められている。
【００４７】
プラグステム３２ｂは、プラグ３２の軸を構成するものであり、その先端にプラグ本体３２ａを接続させて、上方向又は下方向（矢印Ｘ方向）への摺動によりプラグ本体３２ａを上下動させる。プラグステム３２ｂは、バルブ本体３１の内部にあるボンネット３１ａに環囲され、ボンネット３１ａによる案内保持により上下に摺動可能となっている。
【００４８】
なお、図３は、プラグ３２により、シート３３により形成されるスラリーの流路が閉状態となっている様子を示す。プラグ３２による流路の開閉については、後で詳述する。
【００４９】
［シート］
シート３３は、流体であるスラリーの流路を形成する。シート３３により形成される流路の上端は、プラグ３２のプラグ本体３２ａと接触する開口部３３ｐとなり、バルブ本体３１の内部を通過したスラリーがその流路を流れる入口を構成する。したがって、シート３３により形成される開口部３３ｐに対して、プラグ３２を当接させ、あるいは離間させることによって、その開口部３３ｐが開閉する。なお、シート３３は、プラグ本体３２ａの当接により全閉状態にすると、スラリーの流出流量がほぼ停止する形状となっている。
【００５０】
図４は、フラットバルブ１３における、特にプラグ３２（プラグ本体３２ａ）の形状と、そのプラグ３２に対するスラリーの流れを説明するための図である。上述したように、フラットバルブ１３では、上下方向に摺動するプラグ３２（プラグ本体３２ａ）が、シート３３により形成されるスラリーの流路の開口部３３ｐに対し、当接することによって、あるいは離間することによって、その開口部３３ｐの開閉が行われる。このとき、開口部３３ｐが開状態となってスラリーが流出される際に、そのプラグ３２の先端が欠けてしまうことを防ぐために、プラグ３２の先端形状としては平坦（フラット）なものとなっている。しかしながら、そのようなフラットな先端形状を有するプラグ３２では、開口部３３ｐから流出するスラリーの流量制御を的確にかつ精緻に行うことが難しい。なお、図４中の矢印Ｆ１，Ｆ２はスラリーの流れを示す。
【００５１】
ここで、図５に、開口部における開度（％）と、スラリーの流量（ｍ３／ｈｒ）との関係を表したグラフを示す。なお、図５において、横軸はバルブ開度（％）であり、縦軸は代表的な流量（ｍ３／ｈｒ）を表しており、縦軸の数値は典型的な例での流量を示している。フラットバルブとしては、図３に示したものと同様のものを用いたときの例である。
【００５２】
図５に示すように、フラットな先端形状を有するプラグ３２（プラグ本体３２ａ）を開口部３３ｐに当接させた状態の「閉状態」（横軸のバルブ開度が０％の状態）から、プラグ３２を開口部３３ｐから離間させて開度を僅かに上げていくだけで、スラリーの流量が急激に増加していき、その後はなだらかに流量が増加していくという特性を有していることが分かる。すなわち、開き始めは急激に開口部３３ｐの面積が広がるためにスラリーの流量が出やすくなり、その開口部３３ｐが開いていくに従って、スラリー流量の増分が頭打ちになる傾向を示す。
【００５３】
このことから、フラットバルブ１３における制御では、低開度の領域においてスラリーの流量制御が困難かつ不安定になりやすいと言える。
【００５４】
図６は、フラットバルブの従来の制御方法における制御信号の流れを説明するための図である。図６に示すように、フラットバルブの制御においては、例えばＤＣＳ（又はコントローラ、調節計等）により構成される制御器４１が、バルブ開度０％〜１００％の値としての制御信号を信号変換器（ポジショナ）４２に送信すると、信号変換器４２は、受信した制御信号を０％〜１００％の間のバルブ開度に見合った特定の数値に変換し、それをフラットバルブ１３に出力する。従来の方法においては、この関係は、比例の関係で出力される場合が一般的である。
【００５５】
≪３．フラットバルブの制御方法≫
図７は、フラットバルブの制御システムの構成の一例を示す図である。制御システム１は、スラリーが流れるプロセス配管５０に設けられたフラットバルブ１３と、フラットバルブ１３のプラグ３２の摺動速度を調整して開口部３３ｐの開度を制御する開度制御部２と、開度制御部２からの制御信号を受信してその信号を特定の数値に変換してフラットバルブ１３に対して開度指示を行う信号変換器（ポジショナ）３と、を備えている。
【００５６】
また、制御システム１は、フラットバルブ１３を介してプロセス配管５０を通過するスラリーの実流量を測定する流量計４と、例えばオートクレーブ２０内のスラリーの液レベル等の上位装置のスラリーレベルに関する情報信号を開度制御部２に送る上位システム５と、を備えている。
【００５７】
具体的に、制御システム１においては、例えば上位装置であるオートクレーブ２０から、フラッシュベッセル１２ａに送液されるスラリーの流量を規制する制御バルブであるフラットバルブ１３に対し、そのフラットバルブ１３に付設された信号変換器３によりバルブ開度の指示が送られ、開度が調整される。この信号変換器３は、フラットバルブ１３の実開度を検出し、開度制御部２から送られてくる開度に関する制御信号（Ｓ１）にフラットバルブ１３の実開度が一致するようにバルブの開度調整を行う。
【００５８】
また、制御システム１においては、上位システム５が、開度制御部２に対してオートクレーブ２０内のスラリーレベルの情報信号（Ｓ２）を付与する。開度制御部２は、流量計４によって測定されたプロセス流体のスラリー実流量に関する情報信号（Ｓ３）と、上位システム５から送られてくるスラリーレベルの情報信号（Ｓ２）とを比較して、両者を一致させるために必要なフラットバルブ１３の開口部３３ｐにおける開度を開度指示値θ＿ＳＰとして求める。開度制御部２によって求められた開度指示値θ＿ＳＰに関する制御信号（Ｓ１）は、信号変換器３へと送られる。信号変換器３は、フラットバルブ１３の開口部３３ｐにおける実開度θ＿ＰＶを検出し、開度制御部２から送られてくる開度指示値θ＿ＳＰにフラットバルブ１３の実開度θ＿ＰＶが一致するように開度の調整を行う。
【００５９】
このとき、本実施の形態に係る制御システム１では、開度制御部２が、フラットバルブ１３のプラグ本体３２ａを開口部３３ｐから離間させて開操作を行う初期において、その開口部３３ｐにおける開度の増大速度を相対的に減少させることを特徴としている。
【００６０】
具体的に、開度の増大速度を相対的に減少させる方法としては、開口部３３ｐに対してプラグ本体３２ａが当接している閉状態から、プラグ３２を上方向に摺動させて開口させる開操作を行う初期段階において、その摺動速度を所定の割合で減少させることによって、徐々にゆっくりとプラグ本体３２ａが開口部３３ｐから離間するようにし、開口部３３ｐにおける開度の増大速度を相対的に減少させる。
【００６１】
ここで、開度の増大速度とは、プラグ３２を開口部３３ｐから離間させることによって拡大する開口部３３ｐの開度の拡がり速度をいう。また、その開度の増大速度を相対的に減少させるとは、例えば、開度の開操作を行う初期段階以外の段階における開度の増大速度と比べたときにその増大速度よりも遅くさせることをいう。
【００６２】
また、摺動速度を減少させるにあたっては、例えばプラグ３２を下方向に摺動させて開口部３３ｐに当接させる開口部３３ｐの閉操作を行うときの摺動速度を基準としたときに、その基準の摺動速度から所定の割合で減少させた速度にてプラグ３２を操作させる。
【００６３】
このような制御システム１による制御方法によれば、開口部３３ｐの開き始めの部分での制御が不安定になることを防ぐことができ、そして、従来の制御方法のように、その初期段階でスラリーの流量が急激に増加することを防ぐことができる。このことにより、急激なスラリーの流れによるフラットバルブ１３の内部の損傷を抑制することができる。また、高温のスラリーの急激な流入を防ぐことができることから、フラットバルブ１３のプラグ３２の寿命に関わる温度変化の影響を少なくすることができる。
【００６４】
例えば、図８は、信号変換器３への入力と信号変換器３からの出力との関係を示す図であり、バルブ開度０％〜１００％に応じた信号変換器３への入力に対して、フラットバルブ１３への出力係数を変更し、そのバルブ開度とスラリー流量との関係が直線に近づくように制御曲線を変更したものである。なお、横軸は信号変換器３への開度（０％〜１００％）に応じた入力信号（制御信号）を表し、縦軸はその信号変換器３からフラットバルブ１３への開度（０％〜１００％）に応じた出力信号を表す。
【００６５】
図８に示すように、バルブ開度指令に対して、入力の数値が低い領域（グラフの左側の領域）では、その入力信号に対してフラットバルブ１３への出力信号（開度出力）は低めになっている。この領域では、開度制御部２により、バルブの開度の急激な上昇を防ぐために、出力信号を低く抑えるように制御されている。例えば、４０％の入力が入ったときは、２２％の出力を出すようになっている。このように、４０％の入力に対して、２２％の出力になるようにプラグ３２の摺動速度を減少させるようすることで、開口部３３ｐにおける開度の増大速度を減少させ、図５から算出されるようにスラリー流量がおよそ５００ｍ３／ｈｒ程度となるようにしている。
【００６６】
なお、仮に、入力信号と出力信号との大きさが比例関係にあるとして、４０％の入力に対して４０％の出力とすると、スラリー流量は７００ｍ３／ｈｒ程度と大きくなる。
【００６７】
また、図９は、図８の例よりも、入力の数値が低い領域（低開度領域）の係数をさらに低めに強調し、より一層にゆっくりと開度が変化するように設定したときの例である。こうすることにより、低開度領域のバルブの制御が細かくなり、ゆっくり動作させることができる。そして、ゆっくり制御することで、プラグ３２への熱変化を小さくし、熱応力の影響を抑えることができ、フラットバルブ１３の寿命を延ばすことが可能になる。
【００６８】
ここで、プラグ３２を開口部３３ｐから離間させて開操作を行う初期における、信号変換器３への入力信号（制御信号）と、信号変換器３からフラットバルブ１３への出力信号との関係において、その出力信号は、下記式（１）で表されるように、入力信号に対して特定の係数の積で表される程度とすることができる。
出力信号＝入力信号×係数      ・・・（１）
【００６９】
係数とは、例えば入力信号であるバルブの開度に応じて、以下の表１にまとめるように設定することができる。なお、この係数は、図８、図９の例に基づく。
【００７０】
【表１】
2018162853.tif 000003
【実施例】
【００７１】
以下、本発明を適用した具体的な実施例について説明するが、本発明は、これらの実施例に限定されるものではない。
【００７２】
［実施例１］
オートクレーブからのスラリーをフラッシュベッセルに送液させるに際して、フラッシュベッセルの上部に設けたフラットバルブにより、スラリー流量を制御しながら行った。
【００７３】
フラットバルブとしては、図３に例示したものと同様に、バルブ本体と、上下方向に摺動可能なプラグと、流体の流路を形成するシートとを備えて、そのシートにより形成される流路の開口部をプラグの上下方向への摺動に基づいて開閉することによってスラリーの流量を調整可能とするものを用いた。
【００７４】
また、フラットバルブによるスラリー流量の制御においては、プラグの摺動速度を調整して開口部の開度を制御する開度制御部と、開度制御部からの制御信号を受信してその信号を特定の数値に変換してフラットバルブに対して開度指示を行う信号変換器とを備えた制御システムを用いた。
【００７５】
そして、実施例１では、プラグを開口部から離間させて開操作を行う初期において、その開口部における開度の増大速度を相対的に減少させるように操作した。具体的には、フラットバルブに対する出力信号が、図９に示すような制御曲線となるように、フラットバルブにおけるプラグの摺動速度を減少させて開閉操作を行った。
【００７６】
［比較例１］
比較例１では、従来の制御方法に基づき、フラットバルブにおけるプラグの摺動速度の制御は行わず、図５に示すようなバルブ開度とスラリー流量との関係のままにして、フラットバルブの開閉操作を行った。
【００７７】
下記表２に、実施例１、比較例１で用いたそれぞれのフラットバルブの平均寿命の算出結果を示す。
【００７８】
【表２】
2018162853.tif 000004
【００７９】
表２に示す結果から分かるように、実施例１のように操作したフラットバルブでは、比較例１のように操作したフラットバルブに比べて、平均寿命が大きく延びた。このことは、実施例１では、急激にスラリーの流量が増大する開操作の初期において、バルブの開度の増大速度を相対的に減少させるようにしたために、プラグ等への高温のスラリーによる損傷が少なくなったと考えられる。一方で、比較例１では、急激な開閉操作に基づく高温のスラリーの制御のため、熱的応力でプラグのセラミック表面に発生したクラックが成長し、破壊に至ってしまったことから、寿命がわずか３ヶ月程度になったと考えられる。
【符号の説明】
【００８０】
１    制御システム
２    開度制御部
３    信号変換器
４    流量計
５    上位システム
１０    処理システム
１１    吐出配管
１２，１２ａ〜１２ｃ    フラッシュベッセル
１３，１３ａ〜１３ｃ    フラットバルブ（調節弁）
２０    オートクレーブ
２１    液レベル計
３１    バルブ本体
３１ａ    ボンネット
３２    プラグ
３２ａ    プラグ本体
３２ｂ    プラグステム
３３    シート
３３ｐ    開口部
３４    流体流入口
３５    流体流出口
４１    制御器
４２    信号変換器
５０    プロセス配管
【図１】
2018162853.tif 000005
【図２】
2018162853.tif 000006
【図３】
2018162853.tif 000007
【図４】
2018162853.tif 000008
【図５】
2018162853.tif 000009
【図６】
2018162853.tif 000010
【図７】
2018162853.tif 000011
【図８】
2018162853.tif 000012
【図９】
2018162853.tif 000013